(57)【要約】【課題】校正作業を簡易に行うことができる画像評価装置及び画像評価装置の校正方法を提供する。【解決手段】照明装置２２より記録用紙１２に照射された光の透過光又は反射光の光量をＮＤフィルタ７０により所定の割合だけ変化させ、当該変化させる前後において当該受光した光の光量に応じたレベルの信号に基づいて導出される画質を評価するための評価値の変化量がＨＤＤ５２に予め記憶されている変化量となるようにＣＣＤラインセンサ２４より出力される信号のレベルを補正する。【選択図】図２
2007235208.tif 000002
【特許請求の範囲】
【請求項１】
光源より評価対象物に照射された光の透過光又は反射光を受光して当該受光した光の光量に応じたレベルの信号を出力する受光手段と、
前記受光手段より出力された信号に基づいて画質を評価するための評価値を導出する導出手段と、
前記受光手段で受光される光の光量を所定の割合だけ変化させる光量変化手段と、
前記受光手段で受光される光の光量を前記所定の割合だけ変化させた場合の前記評価値の変化量を予め記憶した記憶手段と、
前記光量変化手段により前記光量を変化させる前後において前記導出手段により導出される評価値の変化量が前記記憶手段に記憶されている前記変化量となるように前記受光手段より出力される信号のレベルを補正する補正手段と、
を備えた画像評価装置。
【請求項２】
前記記憶手段は、濃度の異なる複数の評価対象物に対する前記評価値の変化量の平均値が予め記憶されており、
前記補正手段は、前記導出手段により導出される評価値の変化量が前記記憶手段に記憶された前記平均値となるように前記受光手段より出力される信号のレベルを補正する
請求項１記載の画像評価装置。
【請求項３】
前記光量変化手段は、前記光源と前記評価対象物との間に介在された光学的フィルターである
請求項１又は請求項２記載の画像評価装置。
【請求項４】
前記評価値を、前記評価対象物に形成された線の濃度とする
請求項１乃至請求項３の何れか１項記載の画像評価装置。
【請求項５】
光源より評価対象物に照射された光の透過光又は反射光の光量を光量変化手段により所定の割合だけ変化させ、
当該変化させる前後において当該受光した光の光量に応じたレベルの信号に基づいて導出される画質を評価するための評価値の変化量が記憶手段に予め記憶されている変化量となるように前記信号のレベルを補正する
画像評価装置の校正方法。
【発明の詳細な説明】
【技術分野】
【０００１】
この発明は、画像評価装置及び画像評価装置の校正方法に係り、特に、評価対象物に照射された光の透過光又は反射光の光量に基づいて画質を評価するための評価値を導出する画像評価装置及び当該画像評価装置の校正方法に関するものである。
【背景技術】
【０００２】
従来より、記録媒体に形成された画像の品質を評価する画像評価装置が各種提案されている。例えば、特許文献１には、取得した画像データに対して人間の視覚の空間周波数特性に対応した補正を行った後に評価値を導出する技術が開示されており、この技術によれば、画像評価値として濃度（明度）情報だけでなく色彩情報である彩度情報、色相情報も導出することができる。
【０００３】
また、特許文献２には、汎用のカラースキャナやモノクロスキャナを用いて、画像に含まれるノイズに関する評価値を人間の視覚的な感覚と相関良く導出する技術が開示されている。
【０００４】
ところで、近年、プリンタや複写機等の画像形成装置は、形成する画像の高精細化、高画質化が進んでおり、高精細な画像の評価が可能な画像評価装置の開発も進められている。しかし、画像評価装置は、経時的な変化などによって導出した評価値に誤差が含まれている場合があり、評価精度を保つために校正作業の重要性が増してきている。
【０００５】
この校正作業では、導出された評価値の精度（値の正しさ）を確認するため、一般的に、より精度の高い上位の評価装置を用いて画像評価装置の調整を行われる。この精度の高い上位の評価装置はさらに精度的に上位の装置により調整されて、最終的には国家標準レベルにまで繋がっていることが望ましい。これにより、画像評価装置の評価精度がある許容範囲内にあることが保証されることとなり、いわゆるトレーサビリティを確立することが可能となる。
【特許文献１】特開平５−２８４２６０号公報
【特許文献２】特開平１０−２３１９１号公報
【発明の開示】
【発明が解決しようとする課題】
【０００６】
しかしながら、この技術では、別の評価装置を用いなければ校正を行うことができないため、校正作業が煩雑である、という問題点があった。
【０００７】
特に、画像評価装置が数百ｄｐｉ以上の高解像の画像の線濃度を評価するものである場合、測定領域が１００μｍ単位の微小領域となり、このような微小領域の濃度を精度良く校正するためには、精度が保証されたミクロ濃度計などの更に高性能かつ高額な評価分析装置が必要となり、コストなどの点で画像評価装置を維持管理するための負担が顕著であった。
【０００８】
本発明は上記問題点を解決するためになされたものであり、校正作業を簡易に行うことができる画像評価装置及び画像評価装置の校正方法を提供することを目的とする。
【課題を解決するための手段】
【０００９】
上記目的を達成するため、請求項１に記載の発明は、光源より評価対象物に照射された光の透過光又は反射光を受光して当該受光した光の光量に応じたレベルの信号を出力する受光手段と、前記受光手段より出力された信号に基づいて画質を評価するための評価値を導出する導出手段と、前記受光手段で受光される光の光量を所定の割合だけ変化させる光量変化手段と、前記受光手段で受光される光の光量を前記所定の割合だけ変化させた場合の前記評価値の変化量を予め記憶した記憶手段と、前記光量変化手段により前記光量を変化させる前後において前記導出手段により導出される評価値の変化量が前記記憶手段に記憶されている前記変化量となるように前記受光手段より出力される信号のレベルを補正する補正手段と、を備えている。
【００１０】
請求項１記載の発明によれば、受光手段により、光源より評価対象物に照射された光の透過光又は反射光が受光されて当該受光した光の光量に応じたレベルの信号が出力され、導出手段により、受光手段より出力された信号に基づいて画質を評価するための評価値が導出される。
【００１１】
そして、本発明では、受光手段で受光される光の光量を所定の割合だけ変化させた場合の評価値の変化量が予め記憶手段に記憶されており、受光手段で受光される光の光量を所定の割合だけ変化させる光量変化手段により光量を変化させる前後において導出手段により導出される評価値の変化量が記憶手段に記憶されている変化量となるように受光手段より出力される信号のレベルが補正される。なお、上記記憶手段には、ＲＡＭ、フラッシュメモリ等の半導体メモリ、コンパクトフラッシュ（登録商標）、ｘＤピクチャーカード（登録商標）等の可搬型メモリ、ハードディスク等の固定記憶装置、或いはネットワークに接続されたサーバ・コンピュータ等に設けられた外部記憶装置が含まれる。また、上記光量変化手段には、光学フィルタや、液晶パネルなどが含まれる。
【００１２】
このように、請求項１記載の発明によれば、光源より評価対象物に照射された光の透過光又は反射光の光量を光量変化手段により所定の割合だけ変化させ、当該変化させる前後において当該受光した光の光量に応じたレベルの信号に基づいて導出される画質を評価するための評価値の変化量が記憶手段に予め記憶されている変化量となるように信号のレベルを補正しているので、評価精度の校正作業を簡易に行うことができる。
【００１３】
また、請求項１記載の発明によれば、別の評価装置を用いることなく評価精度の校正を行うことができるので、特に、測定領域が１ｍｍ以下である画像評価装置に適用した場合、当該画像評価装置を維持管理するための負担を軽減させることができる。
【００１４】
なお、本発明は、請求項２記載の発明のように、前記記憶手段は、濃度の異なる複数の評価対象物に対する前記評価値の変化量の平均値が予め記憶されており、前記補正手段は、前記導出手段により導出される評価値の変化量が前記記憶手段に記憶された前記平均値となるように前記受光手段より出力される信号のレベルを補正してもよい。
【００１５】
また、本発明は、請求項３記載の発明のように、前記光量変化手段は、前記光源と前記評価対象物との間に介在された光学的フィルターであることが好ましい。なお、この光学的フィルタには、ニュートラル・デンシティ・フィルタなどが含まれる。
【００１６】
また、本発明は、請求項４記載の発明のように、前記評価値を、前記評価対象物に形成された線の濃度としてもよい。
【００１７】
一方、上記目的を達成するため、請求項５記載の発明は、光源より評価対象物に照射された光の透過光又は反射光の光量を光量変化手段により所定の割合だけ変化させ、当該変化させる前後において当該受光した光の光量に応じたレベルの信号に基づいて導出される画質を評価するための評価値の変化量が記憶手段に予め記憶されている変化量となるように前記信号のレベルを補正している。
【００１８】
よって、請求項５に記載の発明は、請求項１記載の発明と同様に作用するので、請求項１記載の発明と同様に、別の評価装置を用いることなく、校正作業を簡易に行うことができる。
【発明の効果】
【００１９】
以上説明したように、本発明によれば、光源より評価対象物に照射された光の透過光又は反射光の光量を光量変化手段により所定の割合だけ変化させ、当該変化させる前後において当該受光した光の光量に応じたレベルの信号に基づいて導出される画質を評価するための評価値の変化量が記憶手段に予め記憶されている変化量となるように前記信号のレベルを補正しているので、評価精度の校正作業を簡易に行うことができる、という優れた効果を有する。
【発明を実施するための最良の形態】
【００２０】
以下、図面を参照して、本発明の実施の形態について詳細に説明する。なお、ここでは、本発明を、評価対象物に形成された線の濃度の評価を行う画像評価装置に適用した場合について説明する。
【００２１】
図１には、本実施の形態に係る画像評価装置１０の概略構成が示されている。
【００２２】
同図に示されるように、画像評価装置１０は、一端部に白色基準板１６が設けられると共に、評価対象となる線が形成されている記録用紙１２が載置されるステージ１４と、ステージ１４に載置された記録用紙１２の前記線を含む画像を読み取る画像読取部２０と、を備えている。
【００２３】
なお、ステージ１４上の白色基準板１６の配設位置は、画像読取部２０による画像読み取り時における初期位置（ホームポジション）とされており、画像読取部２０は、上記初期位置とステージ１４の他端部との間で、モータ５４（図１では省略、図２参照。）の駆動力により所定速度でステージ１４の表面に対して平行に移動することができる。
【００２４】
本実施の形態に係る画像読取部２０は、ステージ１４の表面に対して画像読取部２０の移動方向と直交する直交方向に沿って平行に配設された一対の照明装置２２と、当該一対の照明装置２２の間に直交方向に沿って配設されたＣＣＤ（Charge Coupled Devices）ラインセンサ２４と、ＣＣＤラインセンサ２４のステージ１４側に配置され、照明装置２２から照射されて記録用紙１２により反射された反射光をＣＣＤラインセンサ上に結像させるレンズ２６と、を備えている。
【００２５】
ＣＣＤラインセンサ２４は、ライン状に設けられている各受光素子毎にレンズ２６を介して結像された反射光の光量に応じた大きさのアナログ信号を出力する。
【００２６】
なお、本実施の形態では照明装置２２としてハロゲンランプを用いているが、これに限らず蛍光ランプや、希ガスランプ等の他の照明用の光源を用いてもよい。
【００２７】
図２には、本実施の形態に係る画像評価装置１０の電気系の構成が示されている。
【００２８】
同図に示されるように、画像評価装置１０は、全体の動作を司るＣＰＵ（中央処理装置）４０と、装置全体を制御する制御プログラムや後述する校正処理プログラムを含む各種プログラムや各種パラメータ等が予め記憶されたＲＯＭ４２と、各種データ等を一時的に記憶するＲＡＭ４４と、各種情報を表示するディスプレイ４６と、ディスプレイ４６に対する各種情報の表示を制御するディスプレイドライバ４８と、キーボードなどの入力装置５０と、を備えている。
【００２９】
さらに、画像評価装置１０は、各種情報が記憶されるハードディスク・ドライブ（以下、「ＨＤＤ」という。）５２と、画像読取部２０を移動させるモータ５４への駆動信号を制御する駆動制御部５６と、照明装置２２への電力の供給を制御する照明制御部５８と、ＣＣＤラインセンサ２４による画像データの読み取りを制御する読取制御部６０と、を備えている。
【００３０】
これらＣＰＵ４０、ＲＯＭ４２、ＲＡＭ４４、ディスプレイドライバ４８、入力装置５０、ＨＤＤ５２、駆動制御部５６、照明制御部５８、及び読取制御部６０は、システムバスＢＵＳを介して相互に接続されている。従って、ＣＰＵ４０は、ＲＯＭ４２、ＲＡＭ４４、ＨＤＤ５２へのアクセスと、ディスプレイドライバ４８を介したディスプレイ４６への各種情報の表示と、入力装置５０に対する作業者による操作内容の把握と、駆動制御部５６を介したモータ５４の駆動を制御による画像読取部２０の移動の制御と、照明制御部５８を介した照明装置２２の点灯の制御と、読取制御部６０を介したＣＣＤラインセンサ２４による画像の読み取りの制御と、を各々行うことができる。
【００３１】
図３には、読取制御部６０の詳細な構成が示されている。
【００３２】
読取制御部６０は、ＣＣＤラインセンサ２４より入力されるアナログ信号に対して各種のアナログ信号処理を行うアナログ信号処理部６２と、アナログ信号をデジタルデータに変換するアナログ／デジタル変換器（以下、「ＡＤＣ」という。）６４と、デジタルデータに対して各種のデジタル信号処理を行うデジタル信号処理部６６と、を備えている。
【００３３】
なお、アナログ信号処理部６２は、入力されるアナログ信号を増幅するアンプを備えており、ＣＰＵ４０からの制御により増幅率（ゲイン）が調整可能とされている。
【００３４】
また、デジタル信号処理部６６は、所定容量のラインバッファを内蔵しており、入力されたデジタルデータをＲＡＭ４８の所定領域に直接記憶させる制御も行う。
【００３５】
ＣＣＤラインセンサ２４の出力端はアナログ信号処理部６２の入力端に、アナログ信号処理部６２の出力端はＡＤＣ６４の入力端に、ＡＤＣ６４の出力端はデジタル信号処理部６６の入力端に、各々接続されている。従って、ＣＣＤ２４から出力された被写体像を示すアナログ信号はアナログ信号処理部６２によって所定の増幅率で増幅され、ＡＤＣ６４によってデジタルデータに変換された後にデジタル信号処理部６６に入力され、デジタル信号処理部６６によって所定のデジタル信号処理が施された後にＲＡＭ４８の所定領域に記憶される。
【００３６】
ＣＰＵ４０は、ＲＡＭ４８に記憶されたデジタルの画像データに基づいて画像に含まれる線の濃度を導出する。
【００３７】
ところで、画像評価装置１０により導出される線濃度には、装置の経時的な変化などによって誤差を含まれている場合がある。
【００３８】
そこで、本実施の形態に係る画像評価装置１０は、透過型の中性濃度フィルタ（本実施の形態では、ニュートラル・デンシティ・フィルタ）（以下、「ＮＤフィルタ」という。）を用いて評価精度の校正を行っている。なお、このＮＤフィルタは、分光透過特性が波長的な偏りを持たない無彩色のフィルタであり、波長的な影響を及ぼすことなく透過光量のみを制御する場合に用いられる。
【００３９】
このＮＤフィルタは、入射した光の光量を所定の割合だけ減衰させることができる。よって、評価対象物にＮＤフィルタを重ねた場合、導出される濃度値が線形的に増加する。
【００４０】
そこで、本実施の形態に係る画像評価装置１０では、画像評価装置１０が所定の評価精度である場合に入射する光量が所定の割合だけ減衰した場合の濃度値の増加量を予め記憶しておき、実際にＮＤフィルタを重ねて光量を変化させる前後において導出される評価値の増加量を予め記憶した増加量と比較して線濃度の線形的な関係性を評価することによって評価精度の確認及び修正を行っている。
【００４１】
以下、光量が所定の割合だけ減衰した場合の濃度値の増加量を記憶させる手順を説明する。
【００４２】
まず、例えば、図４に示すように、光量の減衰率が既知であるＮＤフィルタ７０を用意する。なお、本実施の形態では、減衰率が異なる３種類のＮＤフィルタ７０（７０Ａ、７０Ｂ、７０Ｃ）を用意している。そして、各ＮＤフィルタ７０をシート７２にそれぞれ個別に重ねた場合の濃度の変化量を測定する。すなわち、シート７２上の各ＮＤフィルタ７０を個別に重ねた状態でそれぞれ測定される反射濃度値から、何れのＮＤフィルタ７０も重ねていないシート７２のみの状態で測定される反射濃度値を差し引くことにより各ＮＤフィルタ７０による濃度の変化量を求める。なお、ここで用いる反射濃度計としては、特に微小エリアの濃度を測定するためのものである必要はなく、直径１０ｍｍ前後のエリアを測定するための一般的な濃度計を用いればよい。ただし、濃度計は精度が保証されたものが必要である。なお、シート７２とＮＤフィルタ７０との間の面での不要な影響を取り除くため、濃度の異なる複数のシート７２を用意し、ＮＤフィルタ７０毎に各濃度のシート７２を用いてそれぞれ測定した濃度の変化量から平均値を求めて当該平均値を変化量として用いることが好ましい。これにより、評価対象物の濃度の違いよる評価値の誤差を小さくすることができる。また、複数のフィルタを重ねて１種類のフィルタとしてもよい。濃度値は加法性を有しているため、複数のフィルタを重ねた場合の濃度の変化量は各フィルタによる変化量を加算した値となる。
【００４３】
そして、ユーザーは、ＮＤフィルタ７０による濃度の変化量を当該ＮＤフィルタ７０を識別する識別情報と共に入力装置５０より入力する。画像評価装置１０は、入力された変化量を識別情報と対応付けてＨＤＤ５２に校正情報として記憶する。なお、本実施の形態では、ユーザはＮＤフィルタ７０Ａ、７０Ｂ、７０Ｃの順に変化量を入力するものとし、入力された順に変化量にはフィルタの識別情報としてＡ、Ｂ、Ｃが対応付けられるものとする。なお、校正に用いるＮＤフィルタ７０の減衰率が予め決まっている場合は、画像評価装置１０の製造時にＲＯＭ４２やＨＤＤ５２に当該減衰率のＮＤフィルタ７０による濃度の変化量を予め記憶させておいてもよい。
【００４４】
次に、図５を参照しつつ、評価精度の校正を行う際の画像評価装置１０の作用を説明する。なお、図５は、この際にＣＰＵ４０によって実行される校正処理プログラムの処理の流れを示すフローチャートである。当該校正処理プログラムは、ユーザーによって入力装置５０に対して評価精度の校正作業の実行を指示する所定操作が行われた場合に実行される。
【００４５】
同図のステップ１００では、何れのＮＤフィルタ７０も重ね無いで濃度の測定開始の指示を促すメッセージをディスプレイ４６に表示する。次のステップ１０２では、入力装置５０に対して測定開始を指示する所定操作が行なわれたか否かを判定し、肯定判定となった場合はステップ１０４へ移行し、否定判定となった場合は再度ステップ１０２へ移行してユーザからの測定開始の指示待ちを行う。
【００４６】
ユーザは、ディスプレイ４６にメッセージが表示されると、例えば、図６に示すように、評価対象とする線が形成された記録用紙１２をステージ１４に載置し、入力装置５０に対して測定開始を指示する所定操作を行う。
【００４７】
次のステップ１０４では、照明装置２２を点灯させると共にモータ５４を駆動させて画像読取部２０を初期位置に移動させてＣＣＤラインセンサ２４により白色基準板１６からの反射光を受光して光量を検出する。そして、検出したＣＣＤラインセンサ２４の各受光素子の受光した光量に基づいてＣＣＤラインセンサ２４の各受光素子の感度ばらつきを補正するシェーディング補正のためのシェーディング補正データを作成する。作成されたシェーディング補正データは、デジタル信号処理部６６に記憶される。
【００４８】
次のステップ１０６では、照明装置２２を点灯させた状態でモータ５４を駆動させて画像読取部２０をステージ１４に対して所定速度で移動させ、ステージ１４に載置された記録用紙１２からの反射光をＣＣＤラインセンサ２４の各受光素子によって受光して形成された線を含む記録用紙１２の画像を示す画像データを取得する。そして、画像読取部２０がステージ１４の他端部へ到達すると、照明装置２２を消灯すると共にモータ５４を駆動させて画像読取部２０を初期位置に移動させる。この画像を読み取る際に、ＣＣＤラインセンサ２４から出力されたアナログ信号は、アナログ信号処理部６２によって所定の増幅率で増幅され、ＡＤＣ６４によってデジタルデータに変換された後に、デジタル信号処理部６６によってシェーディング補正データに基づいてシェーディング補正が施される。
【００４９】
次のステップ１０８では、取得した画像データにより示される各画素毎の受光した光量に基づいて形成された線毎の線濃度Ｄ１を導出する。なお、本実施形態では、この線濃度の導出方法として、画像全体の濃度の平均よりも所定値以上濃度の濃い部分を線とみなし、画像の線部分の最大濃度値と最小濃度値の差を線濃度とする方法を用いている。なお、線濃度の導出方法として画像の線部分の濃度平均を線濃度とする方法を用いてもよく、その他の方法を用いてもよい。そして、導出した線毎の線濃度Ｄ１をＲＡＭ４４に記憶させる。
【００５０】
次にステップ１１０では、ＮＤフィルタ７０を重ねて測定開始の指示を促すメッセージをディスプレイ４６に表示する。なお、本実施の形態では、フィルタの識別情報の順に（Ａ、Ｂ、Ｃの順）に重ねるＮＤフィルタ７０を指定するメッセージを表示する。次のステップ１１２では、入力装置５０に測定開始を指示する所定操作が行なわれた否かを判定し、肯定判定となった場合はステップ１１４へ移行し、否定判定となった場合は再度ステップ１１２へ移行してユーザからの測定開始の指示待ちを行う。
【００５１】
ユーザは、ディスプレイ４６にメッセージが表示されると、載置されている記録用紙１２に、例えば、図７（Ａ）に示すように、該当するＮＤフィルタ７０を重ねた後に、入力装置５０に対して測定開始を指示する所定操作を行う。
【００５２】
次のステップ１１４では、上記ステップ１０６と同様に、照明装置２２を点灯させると共にモータ５４を駆動させて画像読取部２０をステージ１４に対して所定速度で移動させ、ステージ１４に載置された記録用紙１２からの反射光をＣＣＤラインセンサ２４の各受光素子によって受光して形成された線を含む記録用紙１２の画像を示す画像データを取得する。そして、画像読取部２０がステージ１４の他端部へ到達すると、照明装置２２を消灯させると共にモータ５４を駆動させて画像読取部２０を初期位置に移動させる。
【００５３】
次のステップ１１６では、上記ステップ１０８と同様に、取得した画像データにより示される各画素毎の光量に基づいて線毎の線濃度Ｄ２を導出する。
【００５４】
次のステップ１１８では、対応する線毎に、上記ステップ１１６において導出した線濃度Ｄ２からＲＡＭ４４に記憶されている線濃度Ｄ１を減算することにより指定したＮＤフィルタ７０による線濃度の変化量を算出する。
【００５５】
次のステップ１２０では、全てのＮＤフィルタ７０において線濃度の測定が行なわれたか否かを判定し、肯定判定となった場合はステップ１２２へ移行し、否定判定となった場合はステップ１１０へ移行して未測定のＮＤフィルタ７０を記録用紙１２に重ねるフィルタと指定して測定開始の指示を促すメッセージを表示する。これにより、本実施の形態では、図７（Ａ）〜（Ｃ）に示すように、記録用紙１２にＮＤフィルタ７０Ａ〜７０Ｃがそれぞれ重ねられて線濃度の測定が行なわれる。
【００５６】
次のステップ１２２では、ＨＤＤ５２に校正情報として記憶されている各ＮＤフィルタ７０の変化量と、上記ステップ１１８で算出した各ＮＤフィルタ７０による線濃度の変化量に基づいて画像評価装置１０により導出される線濃度の評価精度が所定範囲内か否かを判定する。
【００５７】
ここで、画像評価装置１０は、評価精度が保たれていた場合、各ＮＤフィルタ７０の校正情報より求まる変化量と上記ステップ１１８で算出した変化量との関係が１：１となる。
【００５８】
すなわち、測定精度が保たれていた場合は、図８に示されるように、横軸を校正情報より求まる変化量とし、縦軸を上記ステップ１１８で算出した線濃度の変化量とすると、各ＮＤフィルタ７０に対応する点は傾きが「１」の直線Ｌ１上の点となる。
【００５９】
そこで、本ステップ１２２では、各ＮＤフィルタ７０の校正情報より求まる変化量と線濃度の変化量から最小二乗法を用いて近似した直線Ｌ２を求め、当該直線Ｌ２の傾きを示す値が「１」を中心とする所定範囲内であるか否か判定することにより、評価精度が所定範囲内か否かを判定する。本ステップ１２２では、肯定判定となった場合は本校正処理プログラムの処理は終了となり、否定判定となった場合はステップ１２４へ移行する。
【００６０】
ステップ１２４では、上記ステップ１２２において求めた直線Ｌ２の傾きを示す値が「１」となるように、アナログ信号処理部６２によるアナログ信号の増幅率を調整し、本校正処理プログラムの処理は終了となる。これにより、ＣＣＤ２４から出力された被写体像を示すアナログ信号はアナログ信号処理部６２により正常な評価精度のレベルに補正される。
【００６１】
このように、本実施の形態に係る画像評価装置１０は、安価なＮＤフィルタ７０を数種類を用いることによって、微細画像である線濃度値評価を簡易的かつ低コストで校正することが可能となる。また、画像評価装置１０は、校正作業において、ＮＤフィルタ７０を重ねて同一画像の同一個所の濃度の変化量を測定しているため、微小領域測定する際に問題となる測定した濃度値に対する画像ムラの影響を排除することもできる。
【００６２】
さらに、この校正方法を積極的に活用する例として、フィルタを重ねることにより濃度の変化量を加法的に付与してより広い濃度範囲での校正が可能となるため、測定可能な濃度範囲を広げることができる。
【００６３】
以上のように本実施の形態によれば、受光手段（ここでは、ＣＣＤラインセンサ２４）により、光源（ここでは、照明装置２２）より評価対象物（ここでは、記録用紙１２）に照射された光の透過光又は反射光を受光して当該受光した光の光量に応じたレベルの信号を出力し、導出手段（ここでは、ＣＰＵ４０）により、受光手段より出力された信号に基づいて画質を評価するための評価値を導出しており、受光手段で受光される光の光量を所定の割合だけ変化させた場合の評価値の変化量を予め記憶手段（ここでは、ＨＤＤ５２）に記憶している。
【００６４】
そして、本実施の形態によれば、補正手段（ここでは、アナログ信号処理部６２）により、受光手段で受光される光の光量を所定の割合だけ変化させる光量変化手段（ここでは、ＮＤフィルタ７０）により光量を変化させる前後において導出手段により導出される評価値の変化量が記憶手段に記憶されている変化量となるように受光手段より出力される信号のレベルを補正しているので、別の評価装置を用いることなく、校正作業を簡易に行うことができる。
【００６５】
また、本実施の形態によれば、光量変化手段は、光源と評価対象物との間に介在された光学的フィルターであるので、画像評価装置の製造コストのアップを抑えることができる。
【００６６】
なお、本実施の形態では、画像評価装置は評価値として光量に基づいて線の濃度を導出する場合について説明したが、本発明はこれに限定されるものではなく、例えば、評価値として画像の濃度、彩度、色相や、受光した光量、ノイズ量など他の評価値を導出するものとしてもよい。この場合も、本実施の形態と同様の効果を奏することができる。
【００６７】
また、本実施の形態では、ユーザが手動で記録用紙１２にＮＤフィルタ７０を重ねる場合について説明したが、本発明はこれに限定されるものではなく、例えば、照明装置２２からステージ１４へ光が出射される出射口やＣＣＤラインセンサ２４へ反射光が入射する入射口にＮＤフィルタ７０を移動させる移動機構を設けて、ＣＰＵ４０からの制御により光路上にＮＤフィルタ７０を挿入又は退避させるものとしてもよい。また、出射口や入射口に液晶パネルを設けてＣＰＵ４０からの制御により光の透過率を制御するものとしてもよい。
【００６８】
また、本実施の形態では、アナログ信号処理部６２によるアナログ信号の増幅率を調整して評価精度を補正する場合について説明したが、本発明はこれに限定されるものではなく、例えば、デジタル信号処理部６６に入力データに対する増幅率の異なる複数のルックアップテーブルを記憶させておき、上記ステップ１２２において求めた直線Ｌ２の傾きを示す値に応じて適切な増幅率のルックアップテーブルを用いて評価精度を補正するものとしてもよい。この場合も、本実施の形態と同様の効果を奏することができる。
【００６９】
また、本実施の形態では、照射された光の記録用紙１２からの反射光の光量に基づいて評価値（線濃度）を導出する場合について説明したが、本発明はこれに限定されるものではなく、記録用紙１２を透過した透過光に基づいて評価値を導出するものとしてもよい。この場合も、本実施の形態と同様の効果を奏することができる。
【００７０】
その他、本実施の形態で説明した画像評価装置１０の構成（図１、図２、図３参照。）は一例であり、本発明の主旨を逸脱しない範囲内において適宜変更可能であることは言うまでもない。
【００７１】
また、本実施の形態で説明した校正処理プログラムの処理の流れ（図５参照。）も一例であり、本発明の主旨を逸脱しない範囲内において適宜変更可能であることは言うまでもない。
【図面の簡単な説明】
【００７２】
【図１】実施の形態に係る画像評価装置の構成を示す概略斜視図である。
【図２】実施の形態に係る画像評価装置の電気的な要部構成を示すブロック図である。
【図３】実施の形態に係る読取制御部の詳細な構成を示すブロック図である。
【図４】実施の形態に係るＮＤフィルタの一例を示す図である。
【図５】実施の形態に係る校正処理プログラムの処理の流れを示すフローチャートである。
【図６】実施の形態に係る評価対象とする線が形成された記録用紙の一例を示す図である。
【図７】実施の形態に係る記録用紙に重ねられたＮＤフィルタの一例を示す図である。
【図８】実施の形態に係る各ＮＤフィルタの校正情報より求まる変化量とステップ１１８において算出した線濃度の変化量との関係を示す図である。
【符号の説明】
【００７３】
１０  画像評価装置
１２  記録用紙
２２  照明装置
２４  ＣＣＤラインセンサ
４０  ＣＰＵ
５２  ＨＤＤ
６２  アナログ信号処理部
７０  ＮＤフィルタ
【図１】
2007235208.tif 000003
【図２】
2007235208.tif 000004
【図３】
2007235208.tif 000005
【図５】
2007235208.tif 000006
【図４】
2007235208.tif 000007
【図６】
2007235208.tif 000008
【図７】
2007235208.tif 000009
【図８】
2007235208.tif 000010